(57)【特許請求の範囲】
【請求項１】
端子台を主要構成とした端子台ユニットと、主要回路を内蔵したカセットと、を互いに別体構成とした電子機器であって、
前記端子台ユニットは、センサを接続する端子台と、前記カセットが着脱可能に収納されるカセット収納部と、前記カセットが前記カセット収納部に着脱可能に収納された場合に、前記カセットと接続するコネクタ手段と、を設け、
前記カセットは、前記端子台ユニットのコネクタ手段と接続するコネクタ手段と、前記端子台ユニットの端子台に接続された前記センサの検出信号を当該コネクタ手段を介して入力する主要回路と、を設けたことを特徴とする電子機器。
【請求項２】
端子台を主要構成とした端子台ユニットと、主要回路を内蔵したカセットと、を互いに別体構成とした電子機器であって、
前記端子台ユニットは、スイッチを接続する端子台と、前記カセットが着脱可能に収納されるカセット収納部と、前記カセットが前記カセット収納部に着脱可能に収納された場合に、前記カセットと接続するコネクタ手段と、を設け、
前記カセットは、前記端子台ユニットのコネクタ手段と接続するコネクタ手段と、前記端子台ユニットの前記端子台に接続されたスイッチの検出信号を、当該コネクタ手段を介して入力する主要回路と、を設けたことを特徴とする電子機器。
【請求項３】
請求項１または２に記載の電子機器であって、
カセットの主要回路は、入力した検出信号を伝送する処理を行い、伝送信号を前記両コネクタ手段を介して端子台ユニットへ送るものであり、
前記端子台ユニットは、外部接続コネクタをさらに備え、カセットの主要回路からの伝送信号を外部接続コネクタを介して外部ユニットへ送るように構成したことを特徴とする電子機器。
【請求項４】
前記端子台ユニットが、前記カセット収納部を設けるユニット本体と、前記カセット収納部内に配設した端子台側コネクタと、前記ユニット本体に配設した外部接続コネクタと、前記ユニット本体に設けた多数の端子台部を有する端子台とを有し、前記外部接続コネクタ及び前記端子台の端子台部のそれぞれを接続して構成され、
前記カセットが、前記端子台ユニットの前記カセット収納部に出し入れ可能に収納され且つ主要回路を収めたカセット本体と、このカセット本体が前記カセット収納部に収納された場合に前記端子台側コネクタに結合されるように設けたカセット側コネクタと、で構成し、
前記カセット収納部に前記カセットを出し入れ可能に収納した場合に前記カセットを前記端子台ユニットに係脱可能に係合するロック手段を備えた請求項１または２に記載の電子機器。
【請求項５】
端子台を主要構成とした端子台ユニットと主要回路を内蔵したカセットとを互いに別体構成とし、前記端子台ユニットの前記端子台に接続されたセンサ及びスイッチの検出信号を、外部の伝送ユニットに対して伝送する電子機器であって、
前記端子台ユニットは、センサ及びスイッチを接続する端子を複数設けた端子台と、前記カセットが着脱可能に収納されるカセット収納部と、前記カセットが前記カセット収納部に着脱可能に収納された場合に前記カセットと接続し、前記端子台に接続された前記センサ及びスイッチで検出された信号を出力できるコネクタ手段と、前記外部の伝送ユニットに対して接続可能な外部接続コネクタと、を有して構成し、
前記カセットは、前記端子台ユニットのコネクタ手段と接続するコネクタ手段と、当該コネクタ手段を介して端子台ユニットの端子台に接続された前記センサ及びスイッチで検出された信号を入力し、当該外部接続コネクタを介して前記外部の伝送ユニットに対して前記センサ及びスイッチで検出された信号を送る処理を行う主要回路と、を有して構成した、ことを特徴とする電子機器。
【発明の詳細な説明】
【０００１】
【発明の属する技術分野】
本発明は、省配線伝送装置等に接続される入出力機器のような電子機器に関するものである。
【０００２】
【従来の技術】
従来の、この種の電子機器としての入出力機器は、図１４に示すように通信部９０と端子台９１Ａ構成の入出力部９１とが１つのケース９２に収納してあって、一体型であった。そして、通信部９０は伝送装置を介してＰＬＣ等に省配線で接続してあり、入出力部９１には各種センサー、スイッチ等が接続してあり、各種センサー等で検出された信号は、入出力機器の入出力部９１に取り込まれて、例えば、トランジスタ入力回路（ＮＰＮトランジスタ入力回路）の回路構成に入力され、伝送機器に送られて、この伝送機器からＰＬＣ等に伝送される。
【０００３】
【発明が解決しようとする課題】
しかしながら、従来の電子機器としての入出力機器が、通信部９０と端子台構成の入出力部９１とを１つのケース９２に収納した一体型であるために、主要回路構成に故障が発生した場合には、入出力機器全体を交換しなければならず、この場合、端子台９１Ａにおける配線のやり直しを行わなう必要があり、保守作業の効率が著しく悪いという問題点があった。
【０００４】
本発明は、上記の問題点に着目して成されたものであって、その目的とするところは、主要回路構成に故障が発生した場合には、端子台ユニットのカセット収納部からカセットを抜き出して新品もしくは故障箇所の無いカセットと交換することで対応ができ、端子台の端子台部の配線をやり直す必要がなく、保守作業の効率を向上させることができる電子機器を提供することにある。
【０００５】
【課題を解決するための手段】
上記の目的を達成するために、請求項１の発明に係る電子機器は、端子台を主要構成とした端子台ユニットと、主要回路を内蔵したカセットと、を互いに別体構成とした電子機器であって、前記端子台ユニットは、センサを接続する端子台と、前記カセットが着脱可能に収納されるカセット収納部と、前記カセットが前記カセット収納部に着脱可能に収納された場合に、前記カセットと接続するコネクタ手段と、を設け、前記カセットは、前記端子台ユニットのコネクタ手段と接続するコネクタ手段と、前記端子台ユニットの端子台に接続された前記センサの検出信号を当該コネクタ手段を介して入力する主要回路とを設けたことを特徴とする。
【０００６】
また、請求項２の発明に係る電子機器は、端子台を主要構成とした端子台ユニットと、主要回路を内蔵したカセットと、を互いに別体構成とした電子機器であって、前記端子台ユニットは、スイッチを接続する端子台と、前記カセットが着脱可能に収納されるカセット収納部と、前記カセットが前記カセット収納部に着脱可能に収納された場合に、前記カセットと接続するコネクタ手段と、を設け、前記カセットは、前記端子台ユニットのコネクタ手段と接続するコネクタ手段と、前記端子台ユニットの前記端子台に接続されたスイッチの検出信号を、当該コネクタ手段を介して入力する主要回路とを設けたことを特徴とする。
【０００７】
かかる構成により、カセットを、端子台ユニットのカセット収納部内に押し込むことにより、コネクタ手段によりカセットと端子台ユニットとを電気的に結合し、また、カセットをカセット収納部から外す場合には、カセットを引き出すことによりコネクタ手段の結合を外して行う。
【０００８】
したがって、主要回路構成に故障が発生した場合には、端子台ユニットのカセット収納部からカセットを抜き出して新品もしくは故障箇所の無いカセットと交換することで対応ができ、端子台の端子台部の配線をやり直す必要がなく、保守作業の効率を向上させることができる。
【０００９】
また、かかる構成により、カセットを、端子台ユニットのカセット収納部内に押し込むことにより、カセット側コネクタを端子台側コネクタに差し込み結合して、カセットを端子台ユニットに設け、また、カセットをカセット収納部から外す場合にはカセットを引き出すことにより、カセット側コネクタを端子台側コネクタから外して行う。
【００１０】
したがって、主要回路構成に故障が発生した場合には、端子台ユニットのカセット収納部からカセットを抜き出して新品もしくは故障箇所の無いカセットと交換することで対応ができ、端子台の端子台部の配線をやり直す必要がなく、保守作業の効率を向上させることができる。
【００１１】
また、上記の目的を達成するために、請求項３の発明に係る電子機器は、請求項１または２に記載の電子機器であって、カセットの主要回路は、入力した検出信号を伝送する処理を行い、伝送信号を前記両コネクタ手段を介して端子台ユニットへ送るものであり、前記端子台ユニットは、外部接続コネクタをさらに備え、カセットの主要回路からの伝送信号を外部接続コネクタを介して外部ユニットへ送るように構成したことを特徴とする。
【００１４】
また、上記の目的を達成するために、請求項４の発明に係る電子機器は、前記端子台ユニットが、前記カセット収納部を設けるユニット本体と、前記カセット収納部内に配設した端子台側コネクタと、前記ユニット本体に配設した外部接続コネクタと、前記ユニット本体に設けた多数の端子台部を有する端子台とを有し、前記外部接続コネクタ及び前記端子台の端子台部のそれぞれを接続して構成され、前記カセットが、前記端子台ユニットの前記カセット収納部に出し入れ可能に収納され且つ主要回路を収めたカセット本体と、このカセット本体が前記カセット収納部に収納された場合に前記端子台側コネクタに結合されるように設けたカセット側コネクタと、で構成し、前記カセット収納部に前記カセットを出し入れ可能に収納した場合に前記カセットを前記端子台ユニットに係脱可能に係合するロック手段を備えた。
【００１５】
かかる構成により、カセットを、端子台ユニットのカセット収納部内に押し込むことにより、カセット側コネクタを端子台側コネクタに差し込み結合してロック手段でカセットを端子台ユニットに固定する。また、カセットをカセット収納部から外す場合には、ロック手段による固定を解除してカセットを引き出すことにより、カセット側コネクタを端子台側コネクタから外して行う。
【００１６】
したがって、主要回路構成に故障が発生した場合には、端子台ユニットのカセット収納部からカセットを抜き出して新品もしくは故障箇所の無いカセットと交換することで対応ができ、端子台の端子台部の配線をやり直す必要がなく、保守作業の効率を向上させることができる。
【００１７】
また、上記の目的を達成するために、請求項５の発明に係る電子機器は、端子台を主要構成とした端子台ユニットと主要回路を内蔵したカセットとを互いに別体構成とし、前記端子台ユニットの前記端子台に接続されたセンサ及びスイッチの検出信号を、外部の伝送ユニットに対して伝送する電子機器であって、前記端子台ユニットは、センサ及びスイッチを接続する端子を複数設けた端子台と、前記カセットが着脱可能に収納されるカセット収納部と、前記カセットが前記カセット収納部に着脱可能に収納された場合に前記カセットと接続し、前記端子台に接続された前記センサ及びスイッチで検出された信号を出力できるコネクタ手段と、前記外部の伝送ユニットに対して接続可能な外部接続コネクタと、を有して構成し、前記カセットは、前記端子台ユニットのコネクタ手段と接続するコネクタ手段と、当該コネクタ手段を介して端子台ユニットの端子台に接続された前記センサ及びスイッチで検出された信号を入力し、当該外部接続コネクタを介して前記外部の伝送ユニットに対して前記センサ及びスイッチで検出された信号を送る処理を行う主要回路と、を有して構成したことを特徴とする。
【００１８】
かかる構成により、主要回路構成に故障が発生した場合には、端子台ユニットのカセット収納部からカセットを抜き出して新品もしくは故障箇所の無いカセットと交換することで対応ができ、端子台の端子台部の配線をやり直す必要がなく、保守作業の効率を向上させることができる。
【００１９】
【発明の実施の形態】
以下、本発明の実施の形態を図面に基づいて説明する。
【００２０】
（実施の形態例１）
本発明の実施の形態例１を図１乃至図３に示す。
図１の（１）は本発明に係る電子機器の分解状態の斜視図、図１の（２）は同電子機器のカセットを裏面側から見た斜視図、図２は同電子機器における端子台ユニットの分解状態の斜視図、図３は同電子機器におけるカセットの分解状態の斜視図である。
【００２１】
電子機器としての入出力機器１は、互いに別体構成の端子台ユニット２とカセット３とにより構成してある。そして、端子台ユニット２は、図２に示すように端子台本体４と、ケース５と、ベース部材６と、基板組立体７とを備えている。
【００２２】
そして、端子台本体４は、その前面側に、横方向に複数並んだ端子台部８を縦方向に数段形成して成る端子台９を有しており、端子台本体４の面部４ａの左、右端部には側壁部１０、１１が形成してある。前記端子台９の端子台部８には端子１２が装着してあり、これらの端子１２には接続端子１４が取外し可能に螺合している。そして、端子台本体４の面部４ａの後縁部の左、右には基板取付部１５が設けてあり、側壁部１０、１１には係止部１６が設けてある。
【００２３】
前記ケース５は、その前面部５ａにカセット収納部１７を有しており、このカセット収納部１７は、底面部１７ａと、左、右面部１７ｂ、１７ｃと、後面部１７ｄとを有しており、底面部１７ａの前縁部の中央にはフック係合爪１８が設けてある。また、左、右面部１７ｂ、１７ｃの中央部には前後方向に沿うガイド部１９が設けてあり、後面部１７ｄには長方形状のコネクタ用孔部２０が形成してある。
【００２４】
また、前記ケース５の前面部５ａのカセット収納部１７を挟んだ左右にはコネクタ装着孔部２１、２２が形成してあり、ケース５の上面部５ｂの左右には係止孔２３が形成してある。また、ケース５の前面部５ａには端子台表出部２０Ａが形成してある。
【００２５】
前記基板組立体７は、第１の基板２４と、第２の基板２５と、第３の基板２６とを有しており、この第１の基板２４の上部中央には端子台側コネクタ２７が実装してある。また、第１の基板２４の左、右縁部には多数の端子２８をブロック化した接続端子部２９、３０が実装してある。そして、接続端子部２９、３０のそれぞれの端子２８は端子台側コネクタ２７の接触端子（図示ぜず）にパターン接続してある。
【００２６】
また、第２の基板２５の前部中央には左の外部接続コネクタ３１が実装してあり、この第２の基板２５の後部には外部接続コネクタ３１が有する複数の接触端子（図示せず）にパターン接続された複数のスルーホール３２が上下方向に一列に形成してある。また、第３の基板２６の前部中央には右の外部接続コネクタ３３が実装してあり、この第３の基板２６の後部には外部接続コネクタ３３が有する複数の接触端子（図示せず）にパターン接続された複数のスルーホール３４が上下方向に一列に形成してある。
【００２７】
そして、第２の基板２５は、そのスルーホール３２を第１の基板２４の左側の接続端子部２９に接続して、左の外部接続コネクタ３１が第１の基板２４の左側に取り付けてあり、また、第３の基板２６は、そのスルーホール３４を第１の基板２４の右側の接続端子部３０に接続して、右の外部接続コネクタ３３が第１の基板２４の右側に取り付けてある。したって、左右の外部接続コネクタ３１、３３は端子台側コネクタ２７に集中して接続してある。
【００２８】
ベース部材６には、その左右に側部の係止爪３５が、上部に上側の係止爪３６がそれぞれ設けてある。そして、ベース部材６の裏側にはレール係合機構３７が設けてある。このレール係合機構３７は、ベース部材６の裏側に左右方向に形成されたレール挿入溝部３８を備えており、このレール挿入溝部３８の下側壁部には、左右方向に所定の間隔をおいて複数の係合爪部（図示せず）が形成してある。また、レール挿入溝部３８の上方にはレール係合部材摺動溝部（図示せず）が形成してあり、このレール係合部材摺動溝部にレール係合部材３９が設けてある。レール係合部材３９は、左右のばね片部４０Ａ、４０Ｂを、レール係合部材摺動溝部に設けた係合突起部（図示せず）に摺接させている。
【００２９】
そして、端子台本体４の後端部に、その基板取付部１５に取付ねじ４１を用いて基板組立体７が固定してあり、この基板組立体７を固定した端子台本体４は、ベース部材６に、その係止爪３５を係止部１６に係止して取り付けてあり、また、端子台本体４にケース５を被せ、このケース５を、ベース部材６に、その係止孔２３に係止爪３６を係止して取り付けてある。
【００３０】
この場合、端子台側コネクタ２７はカセット収納部１７のコネクタ用孔部２０を貫通してカセット収納部１７内に挿入してあり、また、左の外部接続コネクタ３１はケース５の前面部５ａの左のコネクタ装着孔部２１に挿入してあり、右の外部接続コネクタ３３はケース５の前面部５ａの右のコネクタ装着孔部２２に挿入してある。そして、ケース５の前面部５ａの端子表出部２０Ａには端子台９が表出しており、この端子台９には、端子台本体４の左右の側壁部１０、１１の前縁部に回動可能に取り付けられたカバー４２により覆われている。
【００３１】
また、前記カセット３は、図３に示すようにカセットケース４３と、ベース４４と、上、下側基板４５、４６と、カセット側コネクタ４７を形成した基板４７Ａとで構成してあり、カセットケース４３とベース４４とカセット本体を構成している。カセットケース４３は、カセット収納部１７に収納される箱形状を成していて後面が開口しており、その左、右面部４３ａ、４３ｂには、前後方向に沿う案内溝部５０が形成してある。また、カセットケース４３の上、下面部４３ｃ、４３ｄの後部には係止孔５１が形成してあり、カセットケース４３の下面部４３ｄの中央部にはロック用フック５８が設けてある。そして、ロック用フック５８とフック係合爪１８とでロック手段を構成している。
【００３２】
また、ベース４４の面部４４ａには開口部４８が形成してあり、また、ベース４４の面部４４ａの左右には基板取付ポスト４９が、上下部には係止爪５２がそれぞれ設けてある。
【００３３】
そして、上、下側基板４５、４６は、それぞれが有するコネクタ４５Ａ、４６Ａを互いに結合して互いに接続してあり、これらの上、下側基板４５、４６にカセット側コネクタ４７を形成した基板４７Ａが接続してある。
【００３４】
そして、カセット側コネクタ４７を形成した基板４７Ａを組み込んだ上、下側基板４５、４６は、ベース４４に設けた基板取付ポスト４８に取り付けて、このベース４４に装着してあり、この基板組立体（カセット側コネクタ４７を有する基板４７Ａを組み込んだ上、下側基板４５、４６）にカセットケース４３を被せて、このカセットケース４３に設けた係止孔５１に係止爪５２を係止して、ベース４４にカセットケース４３が取り付けてある。そして、カセット側コネクタ４７はベース４４に設けた長方形状の開口部４８に対向している。
【００３５】
そして、上、下側基板４５、４６には、入出力機器１の主要回路５５であるトランジスタ入力回路（ＮＰＮトランジスタ入力回路）が組み込まれている。また、入出力機器１の主要回路５５には、ＮＰＮトランジスタ入力回路に変えて、ＮＰＮトランジスタ出力回路、ＰＮＰトランジスタ出力回路、アナログ入力回路、アナログ出力回路、温度センサー入力回路パルス入力ユニット、パルス出力ユニット、カウンター入力ユニット及びＲＳ２３２Ｃユニット等であってもよい。
【００３６】
そして、上記のように構成された端子台ユニット２にカセット３が着脱可能に取り付けて入出力機器１が構成してある。すなわち、カセット３の左、右面部４３ａ、４３ｂに設けた案内溝部５０を、端子台ユニット２のカセット収納部１７の左、右面部１７ｂ、１７ｃに設けたガイド部１９を挿入してカセット３をカセット収納部１７内に押し込むことにより、カセット３のカセット側コネクタ４７子を端子台ユニット２の端子台側コネクタ２７に結合すると共に、カセット３のロック用フック５８をカセット収納部１７の底面部１７ａに設けたフック係合爪１８に係合させる。
【００３７】
そして、上記のように構成された入出力機器１は、その端子台ユニット２において、その裏面の設けられたレール係合機構３７を介してレール（図示せず）に着脱可能に取り付けられる。この場合、レール挿入溝部３８にレールが挿入されて、このレール挿入溝部３８の下側壁部に設けた係合爪部とレール係合部材３９とによりその取り付けがなされる。
【００３８】
そして、図４に示すように左の外部接続コネクタ３１に、例えば伝送ユニット６０に接続された省配線６１の端末のコネクタ６２を結合する。この伝送ユニット６０はＰＬＣ（図示せず）に省配線（図示せず）を介して接続してある。また、端子台ユニット２の端子台９のそれぞれの端子台部８には各種センサー及びスイッチ等が、その圧着端子（図示せず）を接続端子１４により端子１２に接続してある。
【００３９】
したがって、各種センサー及びスイッチ等で検出された信号は、端子台ユニット２の端子台側コネクタ２７からカセット３のカセット側コネクタ４７を介して主要回路５５であるトランジスタ入力回路（ＮＰＮトランジスタ入力回路）に入力され、外部接続コネクタ３１、コネクタ６２を介して伝送ユニット６０に送られて、この伝送ユニット６０からＰＬＣに伝送される。
【００４０】
そして、入出力機器１の主要回路５５であるトランジスタ入力回路（ＮＰＮトランジスタ入力回路）に故障が発生した場合には、端子台ユニット２のカセット収納部１７からカセット３を抜き出して、すなわち、このカセット３を手前に強く引くことにより、ロック用フック５８をフック係合爪１８より外して抜き出し、故障の無いカセット３を、上記したようにして端子台ユニット２のカセット収納部１７にセットする。
【００４１】
上記した実施の形態例にあっては、入出力機器１を、この入出力機器１に接続されるセンサー等を接続する端子台９を主要構成とした端子台ユニット２と、入出力機器１の主要回路５５であるトランジスタ入力回路を主要構成としたカセット３とにそれぞれが別体になるように分けて、端子台ユニット２に、カセット３が着脱可能に収納されるカセット収納部１７とこのカセット３の主要回路５５を端子台９に接続するコネクタ手段とを設けたので、回路構成５５に故障が発生した場合には、端子台ユニット２のカセット収納部１７からカセット３を抜き出して新品もしくは故障箇所の無いカセット３と交換することで対応ができ、端子台９の端子台部の配線をやり直す必要がなく、保守作業の効率を向上させることができる。
【００４２】
また、カセット３のロック手段であるロック機構Ｆとしては、図５に示すようにカセット３のカセットケース４３の左、右面部４３ａ、４３ｂにロックレバー部６３を形成して、このロックレバー部６３の中間部にに係合爪部６５を形成し、これら左右のロックレバー部材６３に、自由状態で左右の係合爪部６５が外に開くように付勢するばね性をもたせ、また、端子台ユニット２のカセット収納部１７の左、右面部１７ｂ、１７ｃに係合溝部６７と係合部６７Ａとを設けて構成してもよい。
【００４３】
この場合、カセット３をカセット収納部１７に挿入すると、左右のロックレバー部材６３がカセット収納部１７の左、右面部１７ｂ、１７ｃに圧迫されて、ロックレバー６３が係合溝部６７に挿入されて変形し、その後に、係合爪部６５が係合部６７Ａに係合して左右のロックレバー部材６３が開き、カセット３がカセット収納部１７に装着される。
【００４４】
そして、カセット３をカセット収納部１７より外す場合には、左右のロックレバー部材６３を指（図示せず）で閉じて、係合爪部６５の係合部６７Ａへの係合を解除し、カセット３を引き出す。
【００４５】
また、カセット３のロック機構Ｆとしては、図８に示すように、端子台ユニット２のカセット収納部１７の後面部１７ｄに固着した左右方向に沿うレール部材６８と、カセット３のベース６の裏側に設けたレール係合機構Ｂとで構成してもよい。
【００４６】
レール係合機構Ｂは、ベース６の裏側に左右方向に形成されたレール挿入溝部６９を備えており、このレール挿入溝部６９の下側壁部には、左右方向に所定の間隔をおいて複数の係合爪部７０が形成してあり、レール挿入溝部６９の上方にはレール係合部材摺動溝部７１が形成してあり、このレール係合部材摺動溝部７１の左、右側壁部には断面コ字形状の摺動溝部７２が形成してある。そして、レール係合部材摺動溝部７１の底面部には、センターＳから左右に等距離に位置させて係合突起部７３、７４が形成してある。
【００４７】
また、レール係合部材７５は、片本体７５Ａの左、右縁部にレール部７６を形成し、片本体７５Ａの中央部に柱状部７７を、また、この柱状部７７の左右に位置させて逆ハ字状に成るばね片部７８Ａ、７８Ｂをそれぞれ形成し、片本体７７Ａの下縁部に、この片本体７７Ａの下端面部より下方に突出する係合爪部７９を形成して構成してある。
【００４８】
そして、レール係合部材７５を、その左右のレール部７６を摺動溝部７２に摺動可能に挿入してレール係合部材摺動溝部７１に取り付けて、左のばね片部７８Ａを左の係合突起部７３に、右のばね片部７８Ｂを右の係合突起部７４にそれぞれ摺接させてある。
【００４９】
そして、カセット３をカセット収納部７に挿入してコネクタ２７、４７同志を結合させ、そのベース６の裏側をレール部材６８に沿わせて、係合爪部７９の外面をレール部材６８の上縁部に当てて、レール部材６８に押し付けることにより、係合爪部７９の外面が傾斜面になっているために、押付け力が係合爪部７９を押し上げる力に変換されて、レール係合部材７５が押し上げられ、ばね片部７８Ａ、７８Ｂが左右の係合突起部７３，７４により内方に寄せられてばね力を蓄える。
【００５０】
上記のようにレール係合部材７５が押し上げられることにより、レール挿入溝部６９にレール部材６８が挿入されて、レール挿入溝部６９の下側壁部に設けた係合爪部７０の内面とレール挿入溝部６９の底面部との間にレール部材６８の下縁部が挿入され、また、レール係合部材７５は、左右のばね片部７８Ａ、７８Ｂの付勢力により押し下げられて、レール係合部材７５の係合爪部７９がレール部材６８に係合される。このようにして、カセット３がレール部材６８に取り付けられる。
【００５１】
また、カセット３を端子台ユニット２から外す場合には、図７に示すようにレール係合部材７５を工具８１を用いて押し上げて、レール係合部材７５の係合爪部７９をレール部材６８より離して、レール部材６８の上縁部の係合を解除して、カセット３をレール部材６８から取り外し、その後にカセット３を引き出す。
【００５２】
また、レール係合部材７５を工具８１を用いて押し上げるのに代えて、図９、図１０に示すようにレール係合部材７５の上端部に梃部材８２の先端部を回動可能に取り付け、カセット３を端子台ユニット２から外す場合には、梃部材８２を指Ｙで押えて、このレール係合部材７５を押し上げて、レール係合部材７５の係合爪部７９をレール部材６８より離して、レール部材６８の上縁部の係合を解除して、カセット３をレール部材６８から外すようにしてもよい。
【００５３】
また、カセット３と端子台ユニット２とのコネクタ手段としては、図１１、図１２に示すように回転コネクタ８３を用いてもよい。この場合にはロック機構Ｆは不要になる。この回転コネクタ８３はコネクタソケット部８４とコネクタプラグ部８５とを備えており、コネクタソケット部８４が端子台ユニット２のカセット収納部７の後面部１７ｄに装着してあり、コネクタプラグ部８５がカセット３のベース４４に装着してある。
【００５４】
そして、カセット３を、端子台ユニット２のカセット収納部１７内に押し込むことにより、図１３の（１）に示すようにコネクタプラグ部８５をコネクタソケット部８４に差し込み結合してカセット３をカセット収納部１７内に収納する。また、カセット３をカセット収納部１７から外す場合には、水平方向にカセット３を引くことによりコネクタプラグ部８５をコネクタソケット部８４から外して行うし、また、カセット３を、図１３の（２）に示すように９０度回転させて、図１３の（３）に示すように上方向に引張ることによりコネクタプラグ部８５をコネクタソケット部８４から外して行う。
【００５５】
【発明の効果】
以上説明したように、本発明に係る電子機器によれば、カセットを、端子台ユニットのカセット収納部内に押し込むことにより、コネクタ手段によりカセットと端子台ユニットとを電気的に結合し、また、カセットをカセット収納部から外す場合には、カセットを引き出すことによりコネクタ手段の結合を外して行う。
【００５６】
したがって、主要回路構成に故障が発生した場合には、端子台ユニットのカセット収納部からカセットを抜き出して新品もしくは故障箇所の無いカセットと交換することで対応ができ、端子台の端子台部の配線をやり直す必要がなく、保守作業の効率を向上させることができる。
【００５７】
また、カセットを、端子台ユニットのカセット収納部内に押し込むことにより、カセット側コネクタを端子台側コネクタに差し込み結合して、カセットを端子台ユニットに設け、また、カセットをカセット収納部から外す場合にはカセットを引き出すことにより、カセット側コネクタを端子台側コネクタから外して行う。
【００５８】
したがって、主要回路構成に故障が発生した場合には、端子台ユニットのカセット収納部からカセットを抜き出して新品もしくは故障箇所の無いカセットと交換することで対応ができ、端子台の端子台部の配線をやり直す必要がなく、保守作業の効率を向上させることができる。
【００６１】
また、請求項４の発明に係る電子機器によれば、カセットを、端子台ユニットのカセット収納部内に押し込むことにより、カセット側コネクタを端子台側コネクタに差し込み結合してロック手段でカセットを端子台ユニットに固定する。また、カセットをカセット収納部から外す場合には、ロック手段による固定を解除してカセットを引き出すことにより、カセット側コネクタを端子台側コネクタから外して行う。
【００６２】
したがって、主要回路構成に故障が発生した場合には、端子台ユニットのカセット収納部からカセットを抜き出して新品もしくは故障箇所の無いカセットと交換することで対応ができ、端子台の端子台部の配線をやり直す必要がなく、保守作業の効率を向上させることができる。
【００６３】
また、請求項５の発明に係る電子機器によれば、主要回路構成に故障が発生した場合には、端子台ユニットのカセット収納部からカセットを抜き出して新品もしくは故障箇所の無いカセットと交換することで対応ができ、端子台の端子台部の配線をやり直す必要がなく、保守作業の効率を向上させることができる。
【図面の簡単な説明】
【図１】（１）は本発明に係る電子機器の分解状態の斜視図である。
（２）は同電子機器におけるカセットの裏から見た斜視図である。
【図２】本発明に係る電子機器における端子台ユニットの分解状態の斜視図である。
【図３】同電子機器におけるカセットの分解状態の斜視図である。
【図４】同電子機器における構成説明図である。
【図５】他のロック手段を有する電子機器の分解状態の斜視図である。
【図６】別の他のロック手段を有する電子機器の斜視図である。
【図７】同電子機器において、ロック解除の説明図である。
【図８】レール係合機構の正面図である。
【図９】別の他のロック手段を有する電子機器の斜視図である。
【図１０】同電子機器において、ロック解除の説明図である。
【図１１】コネクタ手段を回転コネクタを用いた電子機器の概略的な構成説明図である。
【図１２】同電子機器において上方にカセットを引き出す作用説明図である。
【図１３】（１）、（２）、（３）は回転コネクタの作用説明図である。
【図１４】従来の電子機器の斜視図である。
【符号の説明】
１  入出力機器
２  端子台ユニット
３  カセット
７  カセット収納部
９  端子台
２７  カセット側コネクタ（コネクタ手段）
４７  カセット側コネクタ（コネクタ手段）
５５  主要回路
【図１】
0003702622.tif 000002
【図２】
0003702622.tif 000003
【図３】
0003702622.tif 000004
【図４】
0003702622.tif 000005
【図５】
0003702622.tif 000006
【図６】
0003702622.tif 000007
【図７】
0003702622.tif 000008
【図８】
0003702622.tif 000009
【図９】
0003702622.tif 000010
【図１０】
0003702622.tif 000011
【図１１】
0003702622.tif 000012
【図１２】
0003702622.tif 000013
【図１３】
0003702622.tif 000014
【図１４】
0003702622.tif 000015